(57)【要約】【課題】取付作業及び付け替え作業を簡単容易に行えて仮設作業能率を向上できる荷受けステージを提供する。【解決手段】基端部に係合孔６付き上部接続シュー４が固定された梁枠１と、上端部が梁枠１の先端部側に上下方向回動自在に連結され且つ下端部に係合孔７付き下部接続シュー５が上下方向回動自在に取り付けられた斜材２とからなる複数のステージ枠体３を備え、各ステージ枠体３の上部接続シュー４を、単管足場Ｗの楔式支柱ａに設けられた一つの係合孔付きフランジ１０に跨嵌して、上部接続シュー４の係合孔６とフランジ１０の係合孔とに上部側楔８を挿入すると共に、下部接続シュー５を、他の係合孔付きフランジ１０に跨嵌して、下部接続シュー５の係合孔７とフランジ１０の係合孔とに下部側楔９を挿入し、隣り合うステージ枠体３の梁枠１間に足場板１２を架け渡す。【選択図】図３
2010185173.tif 000002
【特許請求の範囲】
【請求項１】
基端部に側面視略コ字状の係合孔付き上部接続シューが固定された梁枠と、上端部が梁枠の先端部側に上下方向回動自在に連結され且つ下端部に側面視略コ字状の係合孔付き下部接続シューが上下方向回動自在に取り付けられた斜材とからなる複数のステージ枠体を備え、各ステージ枠体の上部接続シューを、単管足場の楔式支柱に設けられた一つの係合孔付きフランジに跨嵌して、上部接続シューの係合孔とフランジの係合孔とに亘って上部側楔を挿入すると共に、下部接続シューを、他の係合孔付きフランジに跨嵌して、下部接続シューの係合孔とフランジの係合孔とに亘って下部側楔を挿入し、隣り合うステージ枠体の梁枠間に足場板を架け渡してなる荷受けステージ。
【請求項２】
梁枠の先端部に手摺り支柱取付用縦杆が上向きに垂設されていて、この縦杆の上端部に手摺り支柱の下端部が外嵌して取り付けられるようになっている請求項１に記載の荷受けステージ。
【発明の詳細な説明】
【技術分野】
【０００１】
本発明は、足場を組んでビルやマンション等の建物を築造する時にクレーンで吊り上げた建築資材等の荷物を受け取るために足場の外側部所要高さ位置に仮設される荷受けステージに関する。
【背景技術】
【０００２】
従来の荷受けステージとして、特許公報等の公知文献を具体的に挙げることはできないが、従来、足場に荷受けステージを仮設する場合、足場の外側部所要高さ位置において、多数本の単管（鋼管からなる枠材単体）を縦横及び斜めにそれぞれ所要間隔に配し、これら単管の足場側連結部及び単管相互の交差部を一つずつパイプクランプにより固定して、梁部と斜材とからなる側面視略倒三角形のステージ本体を形成し、このステージ本体の梁部上に合板を敷設して、針金等で固定していた。
【発明の概要】
【発明が解決しようとする課題】
【０００３】
上記従来の方法では、足場外側部の地上から所要高さのところで、多数の単管とパイプクランプとによって、足場との連結作業、及び荷受けステージの枠組み作業を行うことから、パイプクランプの個数が増えて、取付作業に非常な手間と時間を要していた。また、荷受けステージは、建築の進行に伴い足場の高さが高くなると、足場の高所側に付け替える必要があるが、従来の方法では、荷受けステージの付け替えを行うたびにパイプクランプの取り外し・取り付け作業を行う必要があって、荷受けステージの仮設作業能率が非常に悪かった。
【０００４】
本発明は、上記の事情に鑑み、取付作業及び付け替え作業を簡単容易に行えて仮設作業能率を向上できる荷受けステージを提供することを目的としている。
【課題を解決するための手段】
【０００５】
上記課題を解決するための手段を、後述する実施形態の参照符号を付して説明すると、請求項１に係る発明の荷受けステージＳは、基端部に側面視略コ字状の係合孔６付き上部接続シュー４が固定された梁枠１と、上端部が梁枠１の先端部側に上下方向回動自在に連結され且つ下端部に側面視略コ字状の係合孔７付き下部接続シュー５が上下方向回動自在に取り付けられた斜材２とからなる複数のステージ枠体３を備え、各ステージ枠体３の上部接続シュー４を、単管足場Ｗの楔式支柱ａに設けられた一つの係合孔１１付きフランジ１０に跨嵌して、上部接続シュー４の係合孔６とフランジ１０の係合孔１１とに亘って上部側楔８を挿入すると共に、下部接続シュー５を、他の係合孔１１付きフランジ１０に跨嵌して、下部接続シュー５の係合孔７とフランジ１０の係合孔１１とに亘って下部側楔９を挿入し、隣り合うステージ枠体３，３の梁枠１，１間に足場板１２を架け渡してなることを特徴とする。
【０００６】
請求項２は、請求項１に記載の荷受けステージＳにおいて、梁枠１の先端部に手摺り支柱取付用縦杆１３が上向きに垂設されていて、この縦杆１３の上端部１３ａに手摺り支柱１４の下端部が外嵌して取り付けられるようになっていることを特徴とする。
【発明の効果】
【０００７】
上記解決手段による発明の効果を、後述する実施形態の参照符号を付して説明すると、請求項１に係る発明によれば、各ステージ枠体３を形成する梁枠１の基端部に設けた上部接続シュー４及び斜材２の下端部に設けた下部接続シュー５は、単管足場Ｗの楔式支柱ａに設けられた係合孔１１付きフランジ１０に対し上部側及び下部側楔８，９を介して楔式に取り付けられるため、ハンマー一つで簡単容易に取付け・取り外しを行うことができ、従って荷受けステージＳの取付作業及び付け替え作業を容易に行えて仮設作業能率の向上を図ることができる。
【０００８】
また、荷受けステージＳのステージ枠体３は、基端部に上部接続シュー４が固定された梁枠１と、上端部が梁枠１の先端部側に上下方向回動自在に連結され、下端部に下部接続シュー５が上下方向回動自在に取り付けられた斜材２とからなるもので、部品点数が少なく構造が簡単で、製作が容易であると共に、コンパクトに折り畳みできるから、軽量化が図られて持ち運び及び保管にきわめて有効である。またこの荷受けステージＳでは、単管足場Ｗの支柱ａに対する梁枠１及び斜材２の取付方式が楔式であるため、従来のクランプ方式と比べて、取付強度が大きく、耐久性にも優れている。
【０００９】
請求項２に係る発明によれば、梁枠１の先端部に手摺り支柱取付用縦杆１３が上向きに垂設されていて、この縦杆１３の上端部に手摺り支柱１４の下端部が外嵌して取り付けられるようになっているから、荷受けステージＳに手摺りＴを設置する場合に手摺り支柱１４の取付作業を容易迅速に行うことができる。
【図面の簡単な説明】
【００１０】
【図１】(a) は本発明に係る荷受けステージを足場に取り付けた状態の側面図、(b) は同荷受けステージのステージ枠体を折り畳んだ状態の側面図である。
【図２】同荷受けステージの平面図である。
【図３】同荷受けステージの要部拡大側面図である。
【図４】(a) は図３の矢印Ａによって囲まれる部分の拡大図、(b) は同部分の平面図である。
【図５】(a) は図３の矢印Ｂによって囲まれる部分の拡大図、(b) は同部分の平面図である。
【図６】(a) は図３の矢印Ｃによって囲まれる部分の拡大図、(b) は(a) の矢印Ｄから見た図面である。
【図７】(a) は落下防止板の平面図、(b) はその正面図、(c) は(a) の矢印Ｅで囲まれる部分の拡大図、(d) はその部分の正面図である。
【発明を実施するための形態】
【００１１】
以下に本発明の好適な一実施形態を図面に基づいて説明すると、図１〜図３においてＷで示す単管足場は、それぞれ鋼管製の単管からなる楔式支柱ａ、桁側横材ｂ及び妻側横材ｃを縦横に接続して組み立てられる。楔式の支柱ａは、フランジ１０を長さ方向一定間隔おきに溶接により固着してなるもので、各フランジ１０には図４及び図５に示すように、楔挿入用の係合孔１１が周方向９０度の間隔をおいて４つ設けられている。
【００１２】
また図１及び図２においてＳで示す荷受けステージは、図３〜図５から分かるように、基端部に側面視略コ字状の係合孔６付き上部接続シュー４が固定された梁枠１と、上端部が梁枠１の先端部側に上下方向回動自在に連結され且つ下端部に側面視略コ字状の係合孔７付き下部接続シュー５が上下方向回動自在に取り付けられた斜材２とからなるステージ枠体３を複数個備えており、各ステージ枠体３は図１の(b) に示すように折り畳み可能であって、各ステージ枠体３の上部接続シュー４を、単管足場Ｗの支柱ａに設けられた一つのフランジ１０に跨嵌して、上部接続シュー４の係合孔６とフランジ１０の係合孔１１とに亘って上部側楔８を挿入すると共に、下部接続シュー５を、他のフランジ１１に跨嵌して、下部接続シュー５の係合孔７とフランジ１０の係合孔１１とに亘って下部側楔９を挿入し、隣り合うステージ枠体３，３の梁枠１，１間に足場板１２を架け渡すことによって形成される。
【００１３】
上記荷受けステージＳの構造について更に詳しく説明すると、ステージ枠体３を形成する梁枠１は鋼管からなるもので、この鋼管製梁枠１の先端部には、図３から分かるように、手摺り支柱取付用の縦杆１３が上向きに垂設されていて、この縦杆１３の上端部１３ａは、手摺り支柱１４の下端部が外嵌して取り付けられる手摺り支柱取付ピンを形成している。
【００１４】
上部接続シュー４は、図４の(a) ，(b) に示すように、上片部４ａと下片部４ｂと側片部４ｃとによって側面視コ字状に形成されたもので、上片部４ａと側片部４ｃにそれぞれ係合孔６が設けられており、側片部４ｃが梁枠１の先端部に溶接で固着されている。上部側楔８は、図４の(a) から分かるように、上端部側の前後幅がフランジ１０の係合孔１１の前後幅により僅かに大きく形成されており、また下端部には、フランジ１０の係合孔１１及び下片部４ｂの係合孔６を通過することはできるが、上片部４ａの係合孔６を通過できないようにするための抜け止め突起１５が設けられている。
【００１５】
下部接続シュー５は、図５の(a) ，(b) に示すように、上片部５ａと下片部５ｂと側片部５ｃとによって側面視コ字状に形成されたシュー本体５ｏと、このシュー本体５ｏの側片部５ｃに溶接により固着された平面視コ字状のブラケット１６とからなるもので、斜材２の下端部がブラケット１６に嵌合されて、ボルト・ナット１７により上下方向回動自在に枢着されている。下部側楔９も、上部側楔８と同様に形成されていて、下端部には、フランジ１０の係合孔１１及び下片部４ｂの係合孔７を通過することはできるが、上片部５ａの係合孔７を通過できないようにするための抜け止め突起１５が設けられている。
【００１６】
梁枠１の先端部に上向きに垂設された手摺り支柱取付用縦杆１３の下端部には、下向きコ字状のブラケット１８が溶接で固着されていて、このブラケット１８に斜材２の上端部が嵌合され、ボルト・ナット１９により上下方向回動自在に枢着されている。
【００１７】
図６の(a) に示すように、手摺り支柱１４を手摺り支柱取付用縦杆１３の手摺り支柱取付ピン１３ａに取り付けるにあたり、手摺り支柱１４の下端部を手摺り支柱取付ピン１３ａに外嵌すると、バネ（図示省略）の付勢力によってピン１３ａの外周面から突出する係合突起（図示省略）２０が、手摺り支柱１４の下端部に設けてある係合孔２１に係合し、手摺り支柱１４の下端部をピン１３ａに取付け固定する。手摺り支柱１４を取り外す時は、手摺り支柱１４下端部の係合孔２１に係合しているピン１３ａ側の係合突起２０をバネ付勢力に抗して内方へ押し込んだ状態で、手摺り支柱１４を引き抜けばよい。
【００１８】
上記のような構成よりなるステージ枠体３を複数使用して単管足場Ｗに荷受けステージＳを設置するには、各ステージ枠体３の上部接続シュー４を、単管足場Ｗの支柱ａに設けられた一つのフランジ１０に跨嵌して、上部接続シュー４の係合孔６とフランジ１０の係合孔１１とに亘って上部側楔８を挿入し、楔８の頭部をハンマーで叩くことにより、この楔８を、シュー上下片部４ａ，４ｂの係合孔６，６とフランジ１０，の係合孔１１とに対し楔掛合させて、梁枠１の基端部を支柱ａに固定する。
【００１９】
この場合、図４の(a) ，(b) に示すように、上部接続シュー４の上片部４ａの所要部に切り起こし加工によって下向き突片２２が設けられていることから、上部接続シュー４をフランジ１０に跨嵌する時に、この下向き突片２２がフランジ１０の上面に係止してシュー４の上片部４ａがフランジ１０上面から浮き上がった状態となる。これにより、シュー上下片部４ａ，４ｂの係合孔６，６及びフランジ１０の係合孔１１に対する楔８の掛合作用が有効に働く。即ち、楔８は、シュー上片部４ａの係合孔６の支柱側端部位置(イ)と、フランジ１０の係合孔１１の外周側端部位置(ロ)と、シュー下片部４ｂの係合孔６の支柱側端部位置(ハ)とに対して楔掛合するわけであるが、上記下向き突片２２を設けない場合は、シュー上片部４ａの係合孔６の支柱側端部位置(イ)と、フランジ１０の係合孔１１の外周側端部位置(ロ)との上下方向間隔が殆ど無くなるために、上記３つの位置(イ)，(ロ)，(ハ)による楔８の掛合作用が十分に機能しない。これに対し、下向き突片２２を設けて両位置(イ)，(ロ)の上下方向間隔を広げるようにすることにより、上記３つの位置(イ)，(ロ)，(ハ)が互いに上下方向に離れた状態の三角形を形成する（図４の(a) 参照）ため、楔８の掛合作用が有効に働いて、上部接続シュー４を支柱ａのフランジ１０に強固に固定することができる。
【００２０】
次に、同じステージ枠体３を形成する斜材２の下端部に取り付けてある下部接続シュー５を、上部接続シュー４と同じ様に、支柱ａの所要高さ位置にある他のフランジ１０に跨嵌して、下部側楔９を、下部接続シュー５の係合孔７とフランジ１０の係合孔１１とに亙って挿入し、この下部側楔９の頭部をハンマーで叩くことにより、この楔９を、シュー上下片部５ａ，５ｂの係合孔７，７とフランジ１０の係合孔１１とに対し楔掛合して、梁枠１の基端部を支柱ａに固定する。
【００２１】
この場合も、下部接続シュー５の上片部５ａの所要部には上部接続シュー４の場合と同様に、切り起こし加工によって下向き突片２２が設けてあるから、下部接続シュー５をフランジ１０に跨嵌する時に、シュー５の上片部５ａがフランジ１０上面から浮き上がった状態となり、これによりシュー上下片部５ａ，５ｂの係合孔７，７及びフランジ１０の係合孔１１に対する楔９の掛合作用を有効に働かせることができる。
【００２２】
上記のようにして複数のステージ枠体３を単管足場Ｗの支柱ａに夫々取り付け固定した後、これらステージ枠体３の隣り合う梁枠１，１間に図２に示すように掛止フックｆ付きの足場板１２を架け渡すことによって、単管足場Ｗの外側部所要高さ位置に荷受けステージＳの仮設する。
【００２３】
更に、この荷受けステージＳには手摺りＴを設置する。手摺りＴの設置にあたっては、各ステージ枠体３の梁枠１の先端部に垂設されている手摺り支柱取付用縦杆１３に手摺り支柱１４の下端部を外嵌して取り付ける。各手摺り支柱１４には図１に概略示すように、係合孔１１付きフランジ１０が単管足場Ｗの支柱ａと対応する位置に設けてあり、従って両端に位置する各ステージ枠体３の手摺り支柱１４と単管足場Ｗの外側支柱ａとの間に、図１の(a) に示すように妻側手摺り横材２３を上下２段に架け渡し、また互いに隣り合うステージ枠体３，３の手摺り支柱１４，１４間には図２に示すような桁側手摺り横材２４を上下２段に架け渡す。
【００２４】
上記妻側手摺り横材２３及び桁側手摺り横材２４のそれぞれの両端部には、ステージ枠体３に設けられた楔８付き上部接続シュー４と同じ構造の楔付き端部シューｋが設けてあるから、ステージ枠体３の接続シュー４，５と同様な方法で妻側手摺り横材２３及び桁側手摺り横材２４を単管足場Ｗの支柱ａ及び手摺り支柱１４に対し取り付ければよい。
【００２５】
また、単管足場Ｗは、楔式の支柱ａ、桁側横材ｂ及び妻側横材ｃを縦横に接続して組み立てて、妻側横材ｃ，ｃ間に掛止フックｆ付き足場板１２を架け渡すようになっている。各桁側横材ｂ及び妻側横材ｃのそれぞれの両端部には、上記手摺りＴの手摺り横材２３，２４に設けられたものと同じ楔付き端部シューｋが設けてある。また、単管足場Ｗと荷受けステージＳには同じ足場板１２が使用される。
【００２６】
また、図２において、２５は単管足場Ｗの足場板１２の桁側面と荷受けステージＳの足場板１２の桁側面と間に介挿された落下防護板で、詳細構造を図７の(a) 〜(d) に示す。図７の(a) は落下防護板２５の平面図、(b) はその正面図、(c) は(a) の矢印Ｅで囲まれる部分の拡大図、(d) はその部分の正面図である。この落下防護板２５は、単管足場Ｗの足場板１２の桁側面と荷受けステージＳの足場板１２の桁側面との間の隙間から工具等が落下するのを防ぐためのもので、板本体２６の両端部にそれぞれ取付シュー２７が突設されている。
【００２７】
各取付シュー２７は、前述したステージ枠体３の上部接続シュー４と同じ構造であり、図７の(c) ，(d) に示すように、上片部２７ａと下片部２７ｂと側片部２７ｃとによって側面視コ字状に形成され、上片部２７ａと側片部２７ｃとに夫々係合孔２８が設けられ、側片部２７ｃが板本体２６の先端部に設けてある取付金具２９に固着されていて、このシュー２７の係合孔２８と単管足場Ｗの支柱ａのフランジ１０の係合孔１１とに亘って楔３０が挿入される。図７の(c) ，(d) において３１は、取付シュー２７の上片部２７ａの所要部に切り起こし加工によって設けた下向き突片で、前述したステージ枠体３の下向き突片２２と同じものである。
【００２８】
しかして、落下防護板２５を単管足場Ｗの足場板１２の桁側面と荷受けステージＳの足場板１２の桁側面と間に介挿する時は、各取付シュー２７を、単管足場Ｗの支柱ａの一つのフランジ１０に跨嵌して、取付シュー２７の係合孔２８とフランジ１０の係合孔１１とに亘って楔３０を挿入し、この楔３０の頭部をハンマーで叩くことにより、この楔３０をシュー上下片部２７ａ，２７ｂの係合孔２８，２８とフランジ１０の係合孔１１とに対し楔掛合させればよいから、落下防護板２５を簡単容易に介挿することができる。
【００２９】
以上説明したような構成の荷受けステージＳによれば、各ステージ枠体３を形成する梁枠１の基端部に設けた上部接続シュー４、及び斜材２の下端部に設けた下部接続シュー５は、単管足場Ｗの楔式支柱ａに設けられた係合孔１１付きフランジ１０に対し上部側楔８及び下部側楔９を介して楔式に取り付けられるため、ハンマー一つで簡単容易に取付け・取り外しを行うことができる。
【００３０】
また、この荷受けステージＳのステージ枠体３は、基端部に上部接続シュー４が固定された梁枠１と、上端部が梁枠１の先端部側に上下方向回動自在に連結され且つ下端部に下部接続シュー５が上下方向回動自在に取り付けられた斜材２とからなるもので、部品点数が少なく構造簡単で、製作が容易であると共に、コンパクトに折り畳みできるから、軽量化が図られて持ち運び及び保管にきわめて有効である。またこの荷受けステージＳでは、足場Ｗの支柱ａに対する梁枠１及び斜材２の取付方式が楔式であるため、従来のクランプ式と比べて、取付強度が大きく、耐久性にも優れている。
【００３１】
また、この荷受けステージＳのステージ枠体３は、梁枠１の先端部に手摺り支柱取付用縦杆１３が垂設されていて、この縦杆１３の上端部に手摺り支柱１４の下端部が外嵌して取り付けられるようになっているから、荷受けステージＳに手摺りＴを設置する場合に手摺り支柱１４の取付作業を容易且つ迅速に行うことができる。
【符号の説明】
【００３２】
Ｓ            荷受けステージ
１            梁枠
２            斜材
３            ステージ枠体
４            上部接続シュー
５            下部接続シュー
８            上部側楔
９            下部側楔
１０          フランジ
１３          手摺り支柱取付用縦杆
【図１】
2010185173.tif 000003
【図２】
2010185173.tif 000004
【図３】
2010185173.tif 000005
【図４】
2010185173.tif 000006
【図５】
2010185173.tif 000007
【図６】
2010185173.tif 000008
【図７】
2010185173.tif 000009